(57)【特許請求の範囲】
【請求項１】
コンテンツ要求者の要求に応じてコンテンツを提供する情報処理装置であって、
コンテンツ要求者とコンテンツ保有者との信頼関係を記憶する信頼関係記憶部と、
前記信頼関係記憶部を参照して前記コンテンツ要求者と前記コンテンツ保有者との信頼関係をチェックし、前記コンテンツの削減処理の要否を判断する信頼関係チェック部と、
前記信頼関係が破棄されていた場合に、前記信頼関係が破棄されたタイミング以降に生成されたコンテンツを、前記信頼関係が破棄されてから経過した時間の増加に基づいて除外量が増加するように除外して前記コンテンツ要求者に提供するコンテンツ提供部とを有する情報処理装置。
【請求項２】
前記要求者の属性情報を記憶する属性情報記憶部を有し、
前記コンテンツ提供部は、前記信頼関係が破棄されていた場合、前記属性情報記憶部を参照し、当該属性情報に関連するコンテンツを提供するコンテンツから除外する
ことを特徴とする請求項１記載の情報処理装置。
【請求項３】
前記コンテンツ要求者が前記コンテンツ保有者のコンテンツに対してアクセスしたアクセスログを記録するログ記憶部を有し、
前記コンテンツ提供部は、前記信頼関係が破棄されていた場合、前記ログ記憶部を参照し、当該アクセスログに関連するコンテンツを提供するコンテンツから除外する
ことを特徴とする請求項１又は２記載の情報処理装置。
【請求項４】
前記コンテンツ提供部は、前記コンテンツ要求者の前記コンテンツ提供者に対するアクセスログに基づき、当該アクセスログに関連するコンテンツを提供するコンテンツから除外する
ことを特徴とする請求項３記載の情報処理装置。
【請求項５】
前記コンテンツ要求者が前記コンテンツ保有者のコンテンツに対してアクセスしたアクセスログを記録するログ記憶部を有し、
前記コンテンツ提供部は、前記信頼関係が破棄されていた場合、前記ログ記憶部を参照し、当該コンテンツ要求者がアクセスしていないコンテンツの一部又は全部を提供するコンテンツから除外する
ことを特徴とする請求項１乃至４のいずれか１項記載の情報処理装置。
【請求項６】
前記コンテンツ提供部は、前記コンテンツ要求者が作成したコンテンツに基づき、当該作成コンテンツに関連するコンテンツを提供するコンテンツから除外する
ことを特徴とする請求項１乃至４のいずれか１項記載の情報処理装置。
【請求項７】
前記属性情報記憶部に記憶された前記属性情報に関連する用語を記憶する関連用語記憶部を更に有し、
前記コンテンツ提供部は、前記関連用語記憶部を参照し、前記コンテンツから前記要求者の属性情報及び当該属性情報の関連用語に関連するコンテンツを前記提供するコンテンツから除外する
ことを特徴とする請求項２記載の情報処理装置。
【請求項８】
前記コンテンツ提供部は、前記コンテンツのジャンル別の割合が、前記信頼関係が破棄された前後で同じになるように除外するコンテンツを選別する
ことを特徴とする請求項１乃至７のいずれか１項記載の情報処理装置。
【請求項９】
情報処理装置が、コンテンツ要求者の要求に応じてコンテンツを提供する情報処理方法であって、
前記情報処理装置が、コンテンツ要求者とコンテンツ保有者との信頼関係を記憶する信頼関係記憶部を参照して前記コンテンツ要求者と前記コンテンツ保有者との信頼関係をチェックし、前記コンテンツの削減処理の要否を判断する信頼関係チェック工程と、
前記情報処理装置が、前記信頼関係が破棄されていた場合に、前記信頼関係が破棄されたタイミング以降に生成されたコンテンツを、前記信頼関係が破棄されてから経過した時間の増加に基づいて除外量が増加するように除外して前記コンテンツ要求者に提供するコンテンツ提供工程とを有する情報処理方法。
【請求項１０】
前記情報処理装置は、前記コンテンツ提供工程では、前記信頼関係が破棄されていた場合、前記要求者の属性情報を記憶する属性情報記憶部を参照し、当該属性情報に関連するコンテンツを提供するコンテンツから除外する
ことを特徴とする請求項９記載の情報処理方法。
【請求項１１】
前記情報処理装置は、前記コンテンツ提供工程では、前記信頼関係が破棄されていた場合、前記コンテンツ要求者が前記コンテンツ保有者のコンテンツに対してアクセスしたアクセスログを記録するログ記憶部を参照し、当該アクセスログに関連するコンテンツを提供するコンテンツから除外する
ことを特徴とする請求項９又は１０記載の情報処理方法。
【請求項１２】
前記情報処理装置は、前記コンテンツ提供工程では、前記コンテンツ要求者の前記コンテンツ提供者に対するアクセスログに基づき、当該アクセスログに関連するコンテンツを提供するコンテンツから除外する
ことを特徴とする請求項１１記載の情報処理方法。
【請求項１３】
前記情報処理装置は、前記コンテンツ提供工程では、前記信頼関係が破棄されていた場合、前記コンテンツ要求者が前記コンテンツ保有者のコンテンツに対してアクセスしたアクセスログを記録するログ記憶部を参照し、当該コンテンツ要求者がアクセスしていないコンテンツの一部又は全部を提供するコンテンツから除外する
ことを特徴とする請求項９乃至１２のいずれか１項記載の情報処理方法。
【請求項１４】
前記情報処理装置は、前記コンテンツ提供工程では、前記コンテンツ要求者が作成したコンテンツに基づき、当該作成コンテンツに関連するコンテンツを提供するコンテンツから除外する
ことを特徴とする請求項９乃至１２のいずれか１項記載の情報処理方法。
【請求項１５】
前記情報処理装置は、前記コンテンツ提供工程では、前記属性情報記憶部に記憶された前記属性情報に関連する用語を記憶する関連用語記憶部を参照し、前記コンテンツから前記要求者の属性情報及び当該属性情報の関連用語に関連するコンテンツを前記提供するコンテンツから除外する
ことを特徴とする請求項１０記載の情報処理方法。
【請求項１６】
前記情報処理装置は、前記コンテンツ提供工程では、前記コンテンツのジャンル別の割合が、前記信頼関係が破棄された前後で同じになるように除外するコンテンツを選別する
ことを特徴とする請求項９乃至１５のいずれか１項記載の情報処理方法。
【請求項１７】
コンテンツ要求者の要求に応じてコンテンツを提供する動作をコンピュータに実行させるためのプログラムであって、
コンテンツ要求者とコンテンツ保有者との信頼関係を記憶する信頼関係記憶部を参照して前記コンテンツ要求者と前記コンテンツ保有者との信頼関係をチェックし、前記コンテンツの削減処理の要否を判断する信頼関係チェック工程と、
前記信頼関係が破棄されていた場合に、前記信頼関係が破棄されたタイミング以降に生成されたコンテンツを、前記信頼関係が破棄されてから経過した時間の増加に基づいて除外量が増加するように除外して前記コンテンツ要求者に提供するコンテンツ提供工程とをコンピュータに実行させるプログラム。
【請求項１８】
前記コンテンツ提供工程では、前記信頼関係が破棄されていた場合、前記要求者の属性情報を記憶する属性情報記憶部を参照し、当該属性情報に関連するコンテンツを提供するコンテンツから除外することをコンピュータに実行させる
ことを特徴とする請求項１７記載のプログラム。
【請求項１９】
前記コンテンツ提供工程では、前記信頼関係が破棄されていた場合、前記コンテンツ要求者のアクセスログを記録するログ記憶部を参照し、当該アクセスログに関連するコンテンツを提供するコンテンツから除外することをコンピュータに実行させる
ことを特徴とする請求項１７又は１８記載のプログラム。
【請求項２０】
前記コンテンツ提供工程では、前記コンテンツ要求者の前記コンテンツ提供者に対するアクセスログに基づき、当該アクセスログに関連するコンテンツを提供するコンテンツから除外することをコンピュータに実行させる
ことを特徴とする請求項１９記載のプログラム。
【請求項２１】
前記コンテンツ提供工程では、前記信頼関係が破棄されていた場合、前記コンテンツ要求者が前記コンテンツ保有者のコンテンツに対してアクセスしたアクセスログを記録するログ記憶部を参照し、当該コンテンツ要求者がアクセスしていないコンテンツの一部又は全部を提供するコンテンツから除外することをコンピュータに実行させる
ことを特徴とする請求項１７乃至２０のいずれか１項記載のプログラム。
【請求項２２】
前記コンテンツ提供工程では、前記コンテンツ要求者が作成したコンテンツに基づき、当該作成コンテンツに関連するコンテンツを提供するコンテンツから除外することをコンピュータに実行させる
ことを特徴とする請求項１７乃至２０のいずれか１項記載のプログラム。
【請求項２３】
前記コンテンツ提供工程では、前記属性情報記憶部に記憶された前記属性情報に関連する用語を記憶する関連用語記憶部を参照し、前記コンテンツから前記要求者の属性情報及び当該属性情報の関連用語に関連するコンテンツを前記提供するコンテンツから除外することをコンピュータに実行させる
ことを特徴とする請求項１８記載のプログラム。
【請求項２４】
前記コンテンツ提供工程では、前記コンテンツのジャンル別の割合が、前記信頼関係が破棄された前後で同じになるように除外するコンテンツを選別することをコンピュータに実行させる
ことを特徴とする請求項１７乃至２３のいずれか１項記載のプログラム。
【発明の詳細な説明】
【技術分野】
【０００１】
本発明は、コンテンツ要求者の要求に応じてコンテンツを提供する情報処理装置、情報処理方法及びプログラムに関し、特に、コンテンツ要求者とコンテンツ提供者との間の信頼関係に基づきコンテンツを提供する情報処理装置、情報処理方法及びプログラムに関する。
【背景技術】
【０００２】
従来、社会ネットワーク（人間関係）を形成する支援を行うために、ソーシャルネットワーキング・サービス（ＳＮＳ）等が、さまざまなサイトで提供されている。この種のコンテンツ提供装置は、二者が友人関係など信頼しあう関係を持つことで、日記等お互いの所有するコンテンツへのアクセスを相互に許可するために用いられている。
【０００３】
従来のコンテンツ提供装置の一例が、特許文献１乃至３に記載されている。特許文献１に記載されたコンテンツ提供装置は、会員毎のプロフィール情報管理テーブルと、友人管理テーブルと、制御部を備える。このような構成を有する従来のコンテンツ提供装置は次のように動作する。すなわち、コンテンツ管理装置が会員Ｂのブラウザ端末から会員Ａのプロフィール開示要求を受け取ると、会員Ａが設定した開示条件と会員Ａの友人管理テーブルにおける会員Ａと会員Ｂとの関係に基づいて開示可能な項目を特定し、決定した項目のプロフィール情報を、プロフィール開示要求を送付してきたブラウザ端末に返送する。以上の処理により、コンテンツ提供装置はコンテンツ保有者とコンテンツ要求者の間に友人関係という信頼関係がある場合にコンテンツの送信を行なうことが可能となる。
【０００４】
また、情報の発信者が自分の社会ネットワークに基づいて、特定の範囲の者との間でのみ情報を共有するように簡便に設定することを図った情報共有設定方法が特許文献２に記載されている。この特許文献２に記載の情報共有設定方法は、権限利用者と他の利用者との人間関係情報を取得するステップと、取得した人間関係情報に基づくソシオグラムを作成するステップと、作成されたソシオグラムの表示部と共有情報への各利用者のアクセス権の受付け部を有する設定ページを出力して権限利用者からアクセス権を受付けるステップと、受付けた各利用者のアクセス権を共有情報の特定情報に対応付けて記憶するステップと、共有情報へのアクセスがあったときにアクセスしてきた利用者の特定情報と共有情報の特定情報に対応付けられたアクセス権に基づいて配信の可否を判定するステップとを含み、配信可と判定されたことを条件に共有情報を配信するサーバにおいてアクセス権を設定する。
【０００５】
また、データベースへのアクセス要求が予め定められたアクセス許可条件を満たす場合に、当該アクセス要求に基づいて当該データベースをアクセスするアクセス管理システムが特許文献３に記載されている。この特許文献３に記載のアクセス管理システムにおいては、アクセス要求がアクセス許可条件を満たす場合にデータベースへのアクセスを許可するアクセス執行装置と、当該アクセス要求についてアクセス許可条件が満たされるか否かを判定するポリシー判定装置とを備え、アクセス執行装置は、アクセス許可条件の判定結果を含む判定結果情報を格納し、判定結果情報がアクセス要求に対して予め定められた包含関係を有する場合に、アクセス要求がアクセス許可条件を満たすと判定し、判定結果情報がアクセス要求に対して当該包含関係を有しないと判断された場合に、アクセス要求についてのアクセス許可条件の判定結果をポリシー判定装置から受信し、アクセス要求がアクセス許可条件を満たすと判定された場合に、データベースのアクセスを許可する。
【特許文献１】特開２００７−１９３６１１号公報
【特許文献２】特開２００７−５２５５７号公報
【特許文献３】特開２００５−１３５０６２号公報
【発明の開示】
【発明が解決しようとする課題】
【０００６】
しかし、特許文献１乃至３に記載された従来の装置又は方法では、コンテンツ保有者がコンテンツ要求者との友人関係（人間関係）を破棄し、コンテンツの提供を停止した場合、コンテンツ要求者は今まで友人だと思っていたコンテンツ保有者から一方的に友人関係破棄が通知され、アクセスを拒否されてしまう。このため、不快や憤りを感じてしまうという問題点がある。その理由は、友人関係（人間関係）があるか、ないかによりアクセス制御を行なっているため、一方により関係が破棄された場合の処理が考慮されていないためである。
【０００７】
本発明は、このような問題点を解決するためになされたものであり、過去にコンテンツの提供を許可していたコンテンツ要求者に対して、不快感を与えないようにコンテンツへのアクセスを制限する情報処理装置、情報処理方法及びプログラムを提供することを目的とする。
【課題を解決するための手段】
【０００８】
本発明に係る情報処理装置は、コンテンツ要求者の要求に応じてコンテンツを提供する情報処理装置であって、コンテンツ要求者とコンテンツ保有者との信頼関係を記憶する信頼関係記憶部と、前記信頼関係記憶部を参照して前記コンテンツ要求者と前記コンテンツ保有者との信頼関係をチェックし、前記コンテンツの削減処理の要否を判断する信頼関係チェック部と、前記信頼関係が破棄されていた場合に、前記信頼関係が破棄されたタイミング以降に生成されたコンテンツの一部又は全部を除外して前記コンテンツ要求者に提供するコンテンツ提供部とを有するものである。
【０００９】
本発明に係る情報処理方法は、コンテンツ要求者の要求に応じてコンテンツを提供する情報処理方法であって、コンテンツ要求者とコンテンツ保有者との信頼関係を記憶する信頼関係記憶部を参照して前記コンテンツ要求者と前記コンテンツ保有者との信頼関係をチェックし、前記コンテンツの削減処理の要否を判断する信頼関係チェック工程と、前記信頼関係が破棄されていた場合に、前記信頼関係が破棄されたタイミング以降に生成されたコンテンツの一部又は全部を除外して前記コンテンツ要求者に提供するコンテンツ提供工程とを有するものである。
【００１０】
また、本発明に係るプログラムは、上述したコンテンツ要求者の要求に応じてコンテンツを提供する動作をコンピュータに実行させるものである。
【発明の効果】
【００１１】
本発明によれば、過去にコンテンツの提供を許可していたコンテンツ要求者に対して、不快感を与えないようにコンテンツへのアクセスを制限する情報処理装置、情報処理方法及びプログラムを提供することができる。
【発明を実施するための最良の形態】
【００１２】
以下、本発明を適用した具体的な実施の形態について、図面を参照しながら詳細に説明する。この実施の形態は、本発明を、コンテンツの提供を行ないたくないコンテンツ要求者に対して、コンテンツへのアクセスを拒否するのではなく、信頼関係が破棄されたタイミング以降に生成されたコンテンツを除外してコンテンツ要求者に提供するコンテンツ提供装置に適用したものである。
【００１３】
図１は、本発明の第１の実施の形態に係るコンテンツ配信システムを示す図である。図１に示すように、本実施の形態にかかるコンテンツ配信システムは、コンテンツを提供するコンテンツ提供装置１と、コンテンツの提供を要求する要求者端末装置２とから構成されている。なお、コンテンツ提供装置１と、要求者端末装置２とは、例えば、インターネット等の通信ネットワーク４を介して接続されている。
【００１４】
本実施の形態にかかるコンテンツ提供装置１は、信頼関係記憶部１２と、信頼関係チェック部１３と、コンテンツ提供部１６とを有する。信頼関係記憶部１２は、コンテンツ要求者とコンテンツ保有者との信頼関係を記憶する。信頼関係チェック部１３は、信頼関係記憶部１２を参照してコンテンツ要求者とコンテンツ保有者との信頼関係をチェックし、コンテンツの除外処理の要否を判断する。コンテンツ提供部１６は、信頼関係が破棄されていた場合に、信頼関係が破棄されたタイミング以降に生成されたコンテンツの一部又は全部を除外してコンテンツ要求者に提供する。
【００１５】
このようなコンテンツ提供装置１は、コンテンツ要求者とコンテンツ提供者との間の信頼関係が破棄された場合、信頼関係が破棄されたタイミング以降に生成されたコンテンツを除外する（除外対象コンテンツに設定する）ことで、信頼関係が破棄されたタイミング以降、コンテンツの更新量が減少する。このことにより、コンテンツ要求者は、コンテンツ提供者へのアクセス意欲が減少する一方、信頼関係が破棄されたタイミングよりも前に作成されたコンテンツは変化しないのでより自然にコンテンツ提供者へのアクセスを減らすことができる。特に、信頼関係が破棄されたタイミング以降に作成されたコンテンツを全て除外し、全くコンテンツが更新されないようにすると、コンテンツ要求者のアクセス意欲をより減少させることができる。なお、信頼関係が破棄されたタイミングは、日・時・分・秒のいずれを使用して決定してもよい。
【００１６】
ここで、コンテンツ提供部１６は、信頼関係が破棄されたタイミング以降のコンテンツを時間が経つにつれて徐々に除外するようにすることも可能である。信頼関係が破棄された週は全体の２割、次の週は全体の４割、次の週は全体の６割といったように、除外対象コンテンツに設定していく。コンテンツ要求者は、徐々に提供されるコンテンツが減少するため、コンテンツの減少に気づきにくい。なお、もっと長期にわたってゆるやかに減少させてもよく、逆に、短期間に減少させてもよい。
【００１７】
コンテンツ提供部１６は、コンテンツを減少させる場合、後述するように、要求者の属性情報を参照し、当該属性情報に関連するコンテンツを除外対象コンテンツとするようにしてもよい。コンテンツ要求者の興味のあるコンテンツを積極的に削減することで、コンテンツ要求者のコンテンツアクセス意欲を減少させることができる。同様に、コンテンツ要求者のアクセスログを参照し、コンテンツ提供部１６は、当該アクセスログに関連するコンテンツを除外対象コンテンツとするようにしてもよい。ここで、コンテンツ要求者のアクセスログは、コンテンツ要求者がアクセスしようとするコンテンツのみならず、他のコンテンツへのアクセスログも含まれる。コンテンツ要求者がどのようなコンテンツに普段アクセスしているかの情報を取得すれば、コンテンツ要求者の興味の高いコンテンツを特定し、積極的に除外対象コンテンツとすることができる。この場合、特に、コンテンツ要求者のコンテンツ提供者に対するアクセスログに基づき、当該アクセスログに関連するコンテンツを除外対象コンテンツに設定するようにしてもよい。コンテンツ提供者に応じたアクセスログに基づけば、より正確にコンテンツ要求者の興味のあるコンテンツを特定して除外対象コンテンツを設定することができる。
【００１８】
さらに、コンテンツ要求者の、コンテンツ保有者のコンテンツに対するアクセスログに基づいて、コンテンツ要求者がどのコンテンツまでをアクセスしたかを判定し、信頼関係が破棄されたことをトリガーとして、コンテンツ要求者がアクセスしていない、新しいコンテンツの一部又は全部を除外して、コンテンツを提供するようにしてもよい。
【００１９】
例えば２００７年２月２０日に信頼関係が破棄されたとき、２００８年２月２０日以降に作成されたコンテンツの一部又は全部を除外するにとどまらず、コンテンツ要求者のコンテンツのアクセスログに基づいて、２００８年２月１１日から２００８年２月１９日までに作成されたコンテンツの一部又は全部として、コンテンツ要求者がアクセスしていないコンテンツを除外する。このような処理にすれば、アクセスされていないより多くのコンテンツを除外できるから、コンテンツ要求者のアクセス要求を、不快感を与えることなく、減少させることができる。
【００２０】
また、コンテンツ提供部１６は、コンテンツ要求者が作成したコンテンツに基づき、当該作成コンテンツに関連するコンテンツを提供するコンテンツから除外することも可能である。コンテンツ要求者も自身のブログや日記を作成しており、それらの情報からどのようなコンテンツに興味が高いかを特定することができ、これらを積極的に除外することができる。
【００２１】
さらに、コンテンツ提供部１６は、コンテンツのジャンル別の割合が、信頼関係が破棄された前後で同じになるように除外するコンテンツを選別することができる。信頼関係が破棄される前後で、コンテンツのジャンル別の割合を同様にすれば、コンテンツの除外処理を行っていることに気づかれる可能性が低くなる。コンテンツのジャンルとは、野球関係、サッカー関係、レストレラン情報などである。
【００２２】
このようなコンテンツ提供装置１は、より具体的には次のように構成することができる。図２は、コンテンツ提供装置の詳細を示す図である。図２に示すように、本実施の形態にかかるコンテンツ提供装置は、コンテンツの要求を受付ける要求受付部１１と、コンテンツ保有者とコンテンツ要求者の信頼関係を記憶する信頼関係記憶部１２と、コンテンツ保有者とコンテンツ要求者の信頼関係をチェックする信頼関係チェック部１３と、コンテンツを記憶するコンテンツ記憶部１４と、コンテンツ要求者の属性情報を記憶する属性情報記憶部１５と、属性情報を基にコンテンツの提供を行なうコンテンツ提供部１６と、コンテンツ要求者のアクセスログを記録するログ記録部１７とを有する。
【００２３】
要求受付部１１は、要求者端末装置２からコンテンツの提供要求を受付け、要求者端末装置２へコンテンツを送信する。信頼関係記憶部１２は、コンテンツ保有者とコンテンツ要求者の信頼関係の状態を、信頼関係なし、信頼関係有り、信頼関係破棄済みのいずれかで記憶する。ここで信頼関係とは、二者間で互いの所有するコンテンツへの相互のアクセスを許可する同意のことである。信頼関係チェック部１３は、コンテンツ要求者が信頼関係記憶部１２に記憶されているかをチェックする。ログ記憶部１７には、コンテンツ要求者の識別情報と、アクセスしたコンテンツ（例えばコンテンツのアドレス情報）と、アクセスしたタイミング情報とが互いに関連付けられて記憶されている。
【００２４】
コンテンツ記憶部１４は、コンテンツ保有者の保有する全コンテンツを記憶する。属性情報記憶部１５は、コンテンツ要求者の属性情報を記憶する。コンテンツ提供部１６は、コンテンツ記憶部１４からコンテンツ要求者の要求するコンテンツを取得する。そして、コンテンツ要求者とコンテンツ保有者の信頼関係が破棄されている場合、属性情報記憶部１５からコンテンツ要求者の属性を取得する。そして、コンテンツ要求者によって要求されたコンテンツのうち、要求者の属性に関連するコンテンツを提供するコンテンツから除外し、関連のないコンテンツを非除外対象コンテンツとして抽出し、要求者端末装置２に送信する。
【００２５】
ここで、コンテンツ提供装置１の信頼関係記憶部１２は信頼関係が破棄されたタイミング（日時）を記憶する。これにより、コンテンツ提供部１６は、信頼関係が破棄されたタイミング以降に生成されたコンテンツを、除外対象コンテンツに設定することができる。すなわち、コンテンツ要求者によって要求されたコンテンツのうち信頼関係が破棄されたタイミング以降に作成されたコンテンツについて、属性情報に関連するコンテンツを除外対象コンテンツとし、残りのコンテンツを要求者端末装置２に送信することができる。このように、コンテンツの提供を行ないたくないと決めたタイミング以降に作成されたコンテンツに対して、コンテンツ要求者の趣味嗜好に合わない情報の抽出を行なうことができる。また、信頼関係が破棄されるタイミング以前に見ることができたコンテンツは、コンテンツ要求者にそのまま提供される。このため、コンテンツ要求者に、提供されているコンテンツが制限されているということを気付かせることがない。
【００２６】
また、その他、例えばログ記憶部１７を参照し、コンテンツ要求者が過去３か月以内にアクセスしたコンテンツ（ジャンル）について、コンテンツ要求者の興味が高いコンテンツ（ジャンル）と判断し、信頼関係が破棄されたタイミング以降のコンテンツのうち、当該ジャンルのコンテンツを除外対象コンテンツに設定するようにしてもよい。この場合、コンテンツ提供者に対するアクセスログを使用してもよいし、当該コンテンツ提供サイト内の全コンテンツ提供者に対するアクセスログを使用してもよい。また、アクセスログのみならず、コンテンツ提供者の自身が作成したコンテンツ（ジャンル）を、コンテンツ提供者が興味が高いコンテンツ（ジャンル）とみなし、除外対象コンテンツを設定するようにしてもよい。
【００２７】
また、コンテンツ要求者が例えば過去３か月以内にアクセスしていないコンテンツを非提供コンテンツとして、提供コンテンツから除外するようにしてもよい。コンテンツ要求者は、コンテンツにアクセスしていないため、当該コンテンツが提供コンテンツから除外されても、コンテンツ要求者は気づくことがない。よって、コンテンツ要求者に不快感を与えず、提供するコンテンツを減らすことができる。
【００２８】
次に、図２及び図３を参照して第１の実施の形態の動作について詳細に説明する。図３は、本発明の第１の実施の形態にかかるコンテンツ送信方法を示すフローチャートである。図３に示すように、要求受付部１１は、要求者端末装置２からコンテンツ要求と要求者識別子を受け付ける（ステップＳ１０１）。コンテンツ提供部１６は、コンテンツ記憶部１４から要求者端末装置２から要求されているコンテンツを取得する（ステップＳ１０２）。信頼関係チェック部１３は、コンテンツ保有者とコンテンツ要求者との信頼関係をチェックする（ステップＳ１０３及びＳ１０４）。コンテンツ保有者とコンテンツ要求者に信頼関係がない場合、要求受付部１１は、要求者端末装置２へエラーを送信する（ステップＳ１０５）。
【００２９】
コンテンツ保有者とコンテンツ要求者に信頼関係がある場合、要求受付部１１は、コンテンツ要求者の要求するコンテンツを要求者端末装置２へ送信する（ステップＳ１０６）。コンテンツ保有者とコンテンツ要求者の信頼関係が破棄済みの場合、コンテンツ提供部１６は、属性情報記憶部１５からコンテンツ要求者の属性情報を取得し（ステップＳ１０７）、ステップＳ１０２で取得したコンテンツから、信頼関係破棄のタイミング以降に作成されたコンテンツであって、属性情報と関連するコンテンツを除外対象コンテンツとし、関連しないコンテンツを非除外対象コンテンツとする（ステップＳ１０８）。要求受付部１１は、非除外対象コンテンツを要求者端末装置２へ送信する（ステップＳ１０９）。
【００３０】
本実施の形態においては、信頼関係が破棄されたタイミング以降に作成されたコンテンツに対してのみ、属性情報に関連するコンテンツの除外を行う。よって、コンテンツ要求者からは信頼関係が破棄される前と比べ、提供されるコンテンツが減っているようには感じない。このため、コンテンツ保有者がコンテンツ要求者との信頼関係を破棄した場合、コンテンツ要求者が信頼関係を破棄されたことを気づきにくくすることができる。
【００３１】
また、趣味嗜好といったコンテンツ要求者の属性情報に関連する内容をコンテンツから取り除いてコンテンツ要求者に提供する。このため、信頼関係破棄後はコンテンツ要求者にとっては取得したコンテンツが毎回興味のない内容になる。このことにより、コンテンツ保有者がコンテンツ要求者との信頼関係を破棄した場合、コンテンツ要求者がコンテンツ保有者のコンテンツに対して興味を持たなくすることができる。
【００３２】
次に、本発明の第２の実施の形態について説明する。図４は、本発明の第２の実施の形態にかかるコンテンツ提供装置を示す図である。図４に示すように、本実施の形態にかかるコンテンツ提供装置３は、コンテンツ提供装置１の構成に加え、属性情報に関連する用語を記憶する関連用語記憶部３８を有する。関連用語記憶部３８は、属性情報記憶部３５に記憶されている属性情報の内容に関連する用語を記憶する。
【００３３】
そして、コンテンツ提供部３６は、コンテンツ保有者とコンテンツ要求者の信頼関係が破棄されている場合に、コンテンツ要求者の属性情報を属性情報記憶部３５から取得し、さらに属性情報に関連する用語を関連用語記憶部３８から取得する。続いて、信頼関係破棄日時以降に作成されたコンテンツにおいて、属性情報とその属性情報の関連用語に関連するコンテンツは提供するコンテンツから除外する。すなわち、信頼関係破棄日時以降に作成されたコンテンツについて、属性情報及び関連用語に関連するコンテンツを除外対象コンテンツとし、関連しないコンテンツを非除外対象コンテンツとして要求者端末装置２に送信する。コンテンツの除外に属性情報のみでなく、属性情報に関連する用語を使用することで、より多くのコンテンツを除外することができる。
【００３４】
次に、図４及び図５を参照して第２の実施の形態の動作について詳細に説明する。図５は、本発明の第２の実施の形態にかかるコンテンツ装置方法を示すフローチャートである。図５に示すように、要求受付部１１は、要求者端末装置２からコンテンツ要求と要求者識別子を受け付ける（ステップＳ２０１）。コンテンツ提供部３６は、コンテンツ記憶部３４から要求者端末装置２から要求されているコンテンツを取得する（ステップＳ２０２）。信頼関係チェック部３３は、コンテンツ保有者とコンテンツ要求者との信頼関係をチェックする（ステップＳ２０３及びＳ２０４）。コンテンツ保有者とコンテンツ要求者に信頼関係が無い場合、要求受付部３１は、要求者端末装置２へエラーを送信する（ステップＳ２０５）。
【００３５】
コンテンツ保有者とコンテンツ要求者に信頼関係がある場合、要求受付部３１は、コンテンツ要求者の要求するコンテンツを要求者端末装置２へ送信する（ステップＳ２０６）。コンテンツ保有者とコンテンツ要求者の信頼関係が破棄済みの場合、コンテンツ提供部３６は、属性情報記憶部３５からコンテンツ要求者の属性情報を取得する（ステップＳ２０７）。次いでコンテンツ提供部３６は、コンテンツ要求者の属性情報に関連する用語を関連用語記憶部３８から検索し、取得し（ステップＳ２０８）、ステップＳ２０２で取得したコンテンツから、属性情報および属性情報に関連する用語に関連し、かつ信頼関係破棄されたタイミング以降に作成されたコンテンツを除外対象コンテンツし、提供するコンテンツから除外する（ステップＳ２０９）。要求受付部３１は、残ったコンテンツを要求者端末装置２へ送信する（ステップＳ２１０）。
【００３６】
本実施の形態においては、コンテンツを除外する時に、属性情報に加え、属性情報に関連する用語を基にすることで、多くのコンテンツを取り除くことができる。このため、属性情報のみを基にコンテンツの除外を行なう場合に比べ、よりコンテンツ要求者の趣味嗜好に合ったコンテンツを取り除くことができる。
【００３７】
以上のようなコンテンツ提供装置は、専用コンピュータ、又はパーソナルコンピュータ（ＰＣ）などのコンピュータにより実現可能である。但し、コンピュータは、物理的に単一である必要はなく、分散処理を実行する場合には、複数であってもよい。図６に示すように、コンピュータ１００は、ＣＰＵ１０１（Central Processing Unit）、ＲＯＭ１０２（Read Only Memory）及びＲＡＭ１０３（Random Access Memory）を有し、これらがバス１０４を介して相互に接続されている。尚、コンピュータを動作させるためのＯＳソフトなどは、説明を省略するが、この情報処理装置を構築するコンピュータも当然備えているものとする。
【００３８】
バス１０４には又、入出力インターフェイス１０５も接続されている。入出力インターフェイス１０５には、例えば、キーボード、マウス、センサなどよりなる入力部１０６、ＣＲＴ、ＬＣＤなどよりなるディスプレイ、並びにヘッドフォンやスピーカなどよりなる出力部１０７、ハードディスクなどより構成される記憶部１０８、モデム、ターミナルアダプタなどより構成される通信部１０９などが接続されている。
【００３９】
ＣＰＵ１０１は、ＲＯＭ１０２に記憶されている各種プログラム、又は記憶部１０８からＲＡＭ１０３にロードされた各種プログラムに従って各種の処理、本実施の形態においては、コンテンツ提供処理や、関連用語取得処理等を実行する。ＲＡＭ１０３には又、ＣＰＵ１０１が各種の処理を実行する上において必要なデータなども適宜記憶される。
【００４０】
通信部１０９は、例えば図示しないインターネットを介しての通信処理を行ったり、ＣＰＵ１０１から提供されたデータを送信したり、通信相手から受信したデータをＣＰＵ１０１、ＲＡＭ１０３、記憶部１０８に出力したりする。記憶部１０８はＣＰＵ１０１との間でやり取りし、情報の保存・消去を行う。通信部１０９は又、他の装置との間で、アナログ信号又はディジタル信号の通信処理を行う。
【００４１】
入出力インターフェイス１０５は又、必要に応じてドライブ１１０が接続され、例えば、磁気ディスク１１１、光ディスク１１２、フレキシブルディスク１１３、又は半導体メモリ１１４などが適宜装着され、それらから読み出されたコンピュータプログラムが必要に応じて記憶部１０８にインストールされる。
【実施例１】
【００４２】
次に、具体的な実施例を用いて本発明を実施するための最良の形態の動作を説明する。本実施例では、図７に示すように、コンテンツ提供装置を、ＳＮＳにおいて友達関係のあるユーザに対してのみ日記を提供するサービスに適用する。本実施例では、ＳＮＳサーバ５１がクライアントＰＣ５３とネットワーク５２を介して接続されている。ＳＮＳサーバ５１は、日記データベース（ＤＢ）５１１、ユーザＤＢ５１２、友達ＤＢ５１３を有する。ＳＮＳサーバ５１の日記ＤＢ５１１にユーザＡの日記が記憶されており、ユーザＢがクライアントＰＣ５３を操作してユーザＡの日記を閲覧する。
【００４３】
まず、ユーザＢはクライアントＰＣを操作して日記ＤＢからユーザＡの日記を検索する。ＳＮＳサーバは図８に示すユーザＡの日記をクライアントＰＣに送信する前に、日記保有者であるユーザＡの友達関係を友達ＤＢから調べる。ユーザＡの友達関係が図９の場合、ユーザＢは関係破棄済みのため、ユーザＤＢから図１０に示すようなユーザＢの趣味嗜好といった属性情報を取得する。ＳＮＳサーバ５１は日記の内容とユーザＢの属性情報を照らし合わせ、２００８年１月２日の日記の内容とユーザＢの趣味に関連があるため、２００８年１月２日の日記を取り除き、図１１に示す日記の内容をユーザＢの操作するクライアントＰＣ５３に送信する。
【００４４】
本実施例によれば、二者間の相互の信頼関係により互いの保有コンテンツへのアクセスを許可するコンテンツ送信サービスを提供することができる。
【００４５】
なお、本発明は上述した実施の形態のみに限定されるものではなく、本発明の要旨を逸脱しない範囲において種々の変更が可能であることは勿論である。
【００４６】
例えば、上述の実施の形態では、ハードウェアの構成として説明したが、これに限定されるものではなく、任意の処理を、ＣＰＵにコンピュータプログラムを実行させることにより実現することも可能である。この場合、コンピュータプログラムは、記録媒体に記録して提供することも可能であり、また、インターネットその他の伝送媒体を介して伝送することにより提供することも可能である。
【図面の簡単な説明】
【００４７】
【図１】本発明の第１の実施の形態に係るコンテンツ配信システムを示す図である。
【図２】本発明の第１の実施の形態に係るコンテンツ提供装置の詳細を示す図である。
【図３】本発明の第１の実施の形態にかかるコンテンツ送信方法を示すフローチャートである。
【図４】本発明の第２の実施の形態にかかるコンテンツ提供装置を示す図である。
【図５】本発明の第２の実施の形態にかかるコンテンツ装置方法を示すフローチャートである。
【図６】本発明の実施の形態にかかるコンテンツ提供装置のハードウェア構成の一例を示す図である。
【図７】本発明の実施例を示す図である。
【図８】本発明の実施例において、ユーザＡの日記を示す図である。
【図９】本発明の実施例において、ユーザＡの友達関係のリストを示す図である。
【図１０】本発明の実施例において、ユーザＢの属性情報を示す図である。
【図１１】本発明の実施例において、クライアントＰＣに送信するユーザＡの日記を示す図である。
【符号の説明】
【００４８】
２  要求者端末装置
３  コンテンツ提供装置
４  通信ネットワーク
１１、３１  要求受付部
１２  信頼関係記憶部
１３、３３  信頼関係チェック部
１４、３４  コンテンツ記憶部
１５、３５  属性情報記憶部
１６、３６  コンテンツ提供部
１７、３７  ログ記憶部
３８  関連用語記憶部
１００  コンピュータ
１０１  ＣＰＵ
１０２  ＲＯＭ
１０３  ＲＡＭ
１０４  バス
１０５  入出力インターフェイス
１０６  入力部
１０７  出力部
１０８  記憶部
１０９  通信部
１１１  磁気ディスク
１１２  光ディスク
１１３  フレキシブルディスク
１１４  半導体メモリ
【図１】
0004893694.tif 000002
【図２】
0004893694.tif 000003
【図３】
0004893694.tif 000004
【図４】
0004893694.tif 000005
【図５】
0004893694.tif 000006
【図６】
0004893694.tif 000007
【図７】
0004893694.tif 000008
【図８】
0004893694.tif 000009
【図９】
0004893694.tif 000010
【図１０】
0004893694.tif 000011
【図１１】
0004893694.tif 000012